(57)【特許請求の範囲】
【請求項１】
カートリッジフィルタを使用した集塵機であって、
前記集塵機における前記カートリッジフィルタの上部が取り付けられる個所に配設されて外形が下細り状を成す中空体状の支持部材と、
前記カートリッジフィルタの上部に設けられ中空体状を成し内形が前記支持部材の外形寸法より若干長い内形寸法を有していて前記支持部材の外形と相似する上広がり状を成しかつ内面に複数の環状凸部を突設した弾性体製の連結部と、
を備えていて、
前記支持部材を前記連結部内に挿入させた時に、前記連結部の凸部の収縮による把持力と、前記連結部および前記支持部材の相互の摩擦力により、前記連結部が前記支持部材に固定されることを特徴とするカートリッジフィルタ使用の集塵機。
【請求項２】
請求項１に記載のカートリッジフィルタ使用の集塵機において、
前記連結部は合成樹脂製またはゴム製であることを特徴とするカートリッジフィルタ使用の集塵機。
【請求項３】
集塵機本体の下部に配設されてカートリッジフィルタを集塵機本体の上部に配設の支持部材に取り付けるべくカートリッジフィルタを押し上げる装置であって、所要長さ昇降自在にして配設され多数のカートリッジフィルタを所要の間隔をおき立てた状態で載置可能な昇降部材と、
この昇降部材の真下に上下回動可能にして配設され昇降部材を押し上げ可能な一対の平行四辺形リンク機構と、
この平行四辺形リンク機構を手動で上下回動させるためのレバーと、
前記平行四辺形リンク機構の上下回動を限定するストッパ機構と、
を備えたことを特徴とするカートリッジフィルタの取り付け装置。
【発明の詳細な説明】
【０００１】
【発明の属する技術分野】
本発明は、カートリッジフィルタ使用の集塵機およびカートリッジフィルタの取り付け装置に関する。
【０００２】
【従来の技術】
従来、カートリッジフィルタを集塵機本体に取り付ける機構としては、集塵機本体の上部に設けられたセルプレートの下面に突設された円筒体を、カートリッジフィルタの上部に差し込んだ後、カートリッジフィルタの上部をバンドで締めて円筒体に固定するか、ボルトネジで円筒体に固着するようにしたものがある。
【０００３】
しかし、このように構成された従来のカートリッジフィルタの取付け機構では、特にカートリッジフィルタの取り替えに当たっては、作業者が汚れた集塵機本体内に深く入り込み、しかも、前者ではバンドを取り外したり・取り付ける作業が、また、後者ではボルトネジを緩めたり・ねじ込む作業がそれぞれ必要になり、したがって、作業環境が非常に悪い上に、手間暇がかかって生産性が悪いなどの問題があった。
【０００４】
【発明が解決しようとする課題】
本発明は上記のような問題を解消するためになされたもので、その目的は、カートリッジフィルタをワンタッチで効率よく着脱することができるようにしたカートリッジフィルタ使用の集塵機およびカートリッジフィルタの取付け装置を提供することにある。
【０００５】
【課題を解決するのための手段】
上記の目的を達成するために請求項１における集塵機は、カートリッジフィルタを用いた集塵機であって、前記集塵機における前記カートリッジフィルタの上部が取り付けられる個所に配設されて外形が下細り状を成す中空体状の支持部材と、前記カートリッジフィルタの上部に設けられ中空体状を成し内形が前記支持部材の外形寸法より若干長い内形寸法を有していて前記支持部材の外形と相似する上広がり状を成しかつ内面に複数の環状凸部を突設した弾性体製の連結部と、を備えていて、前記支持部材を前記連結部内に挿入させた時に、前記連結部の凸部の収縮による把持力と、前記連結部および前記支持部材の相互の摩擦力により、前記連結部が前記支持部材に固定されることを特徴とする。
【０００６】
請求項３におけるカートリッジフィルタの取り付け装置は、集塵機本体の下部に配設されてカートリッジフィルタを集塵機本体の上部に配設の支持部材に取り付けるべくカートリッジフィルタを押し上げる装置であって、所要長さ昇降自在にして配設され多数のカートリッジフィルタを所要の間隔をおき立てた状態で載置可能な昇降部材と、この昇降部材の真下に上下回動可能にして配設され昇降部材を押し上げ可能な一対の平行四辺形リンク機構と、この押上げ機構を手動で上下回動させるためのレバーと、前記押上げ機構の上下回動を限定するストッパ機構と、を備えたことを特徴とする。
【０００７】
このように構成されたものは、多数のカートリッジフィルタを所要の間隔をおき立てた状態で昇降部材にセットしたのち、レバーを下降へ回動させるだけで、カートリッジフィルタを押し上げ集塵機本体の支持部材に取り付けることができる。また、カートリッジフィルタを支持部材から抜くだけで、カートリッジフィルタを集塵機本体から取り外すことができる。
【０００８】
【発明の実施の形態】
なお、本発明において弾性体製の連結部とは、弾力性を有する合成樹脂製またはゴム製のものをいい、その材質は問わない。またなお、連結部の凸部は収縮による把持力と、支持部材とによる相互の摩擦力により、支持部材に連結部を含むカートリッジフィルタを固定することかできるものであればよい。またなお、連結部および支持部材は中空体であれば円筒体に限定されない。
【０００９】
【実施例】
以下、本発明を適用したカートリッジフィルタ使用の集塵機およびカートリッジフィルタの取付け装置の一実施例について、図１〜図５に基づき詳細に説明する。本集塵機においては、図１に示すように、カートリッジフィルタ１の上部に円筒状の連結部２が設けてあり、連結部２は外形が下細り状を成す円筒状の支持部材３にこれを挿入させて取り付けてあり、支持部材３は後述の集塵機本体５の上部に設けられたセルプレート１８に設けてある。そして、前記連結部２は、内形が前記支持部材３の外径寸法より若干長い（例えば約２〜８mm程度長い）内径寸法をしていて前記支持部材３の外形と相似する上広がり状を成しかつ内面に複数の環状凸部４・４を突設した合成樹脂製である。これにより、前記支持部材３を前記連結部２内に挿入すると、前記連結部２の凸部４・４の収縮による把持力と、前記連結部２および前記支持部材３の相互の摩擦力により、前記連結部２は前記支持部材３に固定される。
【００１０】
また、集塵機本体５の下部には前記カートリッジフィルタ１を押し上げて前記支持部材３にこれを挿入させて取り付けるカートリッジフィルタの取付け装置６が配設してあり、カートリッジフィルタの取付け装置６は、所要長さ昇降自在にして配設され多数のカートリッジフィルタ１・１を所要の間隔をおき立てた状態で載置可能な昇降部材７と、この昇降部材７の真下に上下回動可能にして配設され昇降部材７を押し上げ可能な一対の平行四辺形リンク機構８と、この平行四辺形リンク機構８を手動で上下回動させるためのレバー９と、前記平行四辺形リンク機構８の上下回動を限定するストッパ機構１０と、で構成してある。
【００１１】
そして、前記昇降部材７は前記集塵機本体５の内面に固着された複数のブラケット１１・１１上に複数のガイドピン１２・１２を介し所要長さ昇降自在にして載置してある。また、前記平行四辺形リンク機構８は前記集塵機本体５の底部に配設された支持部材１３上に上下回動自在にして設けてあり、さらに上端にローラ１４・１４が軸支してある。また、前記レバー９の下端は前記平行四辺形リンク機構８の左側の支持軸１５の前端部に嵌着してある。また、前記ストッパ機構１０は前記集塵機本体５の底部に所要の間隔をおき相対向して配設された横向きの調節ボルト１６・１７によって構成してある。
【００１２】
次にカートリッジフィルタの取付け装置６によってカートリッジフィルタ１・１を取り付ける手順について説明する。複数のカートリッジフィルタ１・１をそれぞれ支持部材３・３の真下に位置させて昇降部材７上にセットした後、図４に示すように、レバー９を右側へ倒し一対の平行四辺形リンク機構８を右側へ回動させて昇降部材７およびカートリッジフィルタ１・１を押し上げ、各連結部２内に各支持部材３を挿入させる。これにより、カートリッジフィルタ１・１は連結部２・２を介して支持部材３・３に固定されることとなる。
【００１３】
一方、カ−トリッジフィルタ１・１を取り外すには、レバー９を左側へ倒して一対の平行四辺形リンク機構８を左側へ回動させて昇降部材７を下げる。この時、カ−トリッジフィルタ１・１は、自重で自然に昇降部材７と一緒に下がるものと、連結部２の摩擦力により支持部材３・３に留まるものとが有り、留まるものは手で軽く引き降ろして簡単に取り外すことができる。その後、昇降部材７上のカ−トリッジフィルタ１・１を手作業により簡単に取り出すことができる。
【００１４】
【発明の効果】
以上の説明からも明らかなように請求項１におけるカートリッジフィルタ使用の集塵機は、カートリッジフィルタを用いた集塵機であって、前記集塵機における前記カートリッジフィルタの上部が取り付けられる個所に配設されて外形が下細り状を成す中空体状の支持部材と、前記カートリッジフィルタの上部に設けられ中空体状を成し内形が前記支持部材の外形寸法より若干長い内形寸法を有していて前記支持部材の外形と相似する上広がり状を成しかつ内面に複数の環状凸部を突設した弾性体製の連結部と、を備えていて、前記支持部材を前記連結部内に挿入させた時に、前記連結部の凸部の収縮による把持力と、前記連結部および前記支持部材の相互の摩擦力により、前記連結部が前記支持部材に固定され、さらに、請求項３における−トリッジ式フィルタの取付け装置は、集塵機の下部に配設されてカートリッジフィルタを集塵機本体に取り付けるべくカートリッジフィルタを押し上げる装置であって、所要長さ昇降自在にして配設され多数のカートリッジフィルタを所要の間隔をおき立てた状態で載置可能な昇降部材と、この昇降部材の真下に上下回動可能にして配設され昇降部材を押し上げ可能な一対の平行四辺形リンク機構と、この平行四辺形リンク機構を手動で上下回動させるためのレバーと、前記平行四辺形リンク機構の上下回動を限定するストッパ機構と、を備えたから、カートリッジフィルタをワンタッチで効率よく脱着することができるなどの優れた実用的効果を奏する。
【図面の簡単な説明】
【図１】本発明の一実施例の主要部を示す縦断面図である。
【図２】本発明の一実施例の主要部を示す縦断面図である。
【図３】図２の一部切り欠き断面図である。
【図４】図２の作動説明図である。
【符号の説明】
１ カートリッジフィルタ
２ 連結部
３
支持部材
７ 昇降部材
８ 一対の平行四辺形リンク機構
９ レバー
１０ ストッパ機構
【図１】
0003741309.tif 000002
【図２】
0003741309.tif 000003
【図３】
0003741309.tif 000004
【図４】
0003741309.tif 000005